(57)【要約】【課題】  無線基地局が前記端末に発信する電波が十分に到達するエリアが限られていて電波障害の有無等によって端末の送受信状態が変化する移動体通信方式においても有効に対応できる移動体通信システムの提供。【解決手段】  端末の操作により通話メモの再生ができる通話メモを、十分な記録容量を備えた無線基地局のメモリに記録しているので、該メモリに送信端末からのメッセージ及び該メッセージの発呼指定時刻を記憶し、該メモリに記憶したメッセージを前記指定時刻に相手先端末へ発呼する。【選択図】  図１
2006135925.tif 000002
【特許請求の範囲】
【請求項１】
携帯用通信端末を用いて無線基地局と通信して相手先と通話する通話メモを記録して、通話終了後前記端末を用いて通話メモ若しくは電子メール（以下メッセージという）を聴取可能な通信システムであって、
前記無線基地局に前記通話メモを記録させるメモリを設けるとともに、該メモリに送信端末からのメッセージ及び該メッセージの発呼指定時刻を記憶し、該メモリに記憶したメッセージを前記指定時刻に相手先端末へ発呼するように構成した移動体通信システム。
【発明の詳細な説明】
【技術分野】
【０００１】
本発明は、携帯用通信端末を用いて無線基地局と通信して相手先と通話する通話メモを記録して、通話終了後前記端末を用いて通話メモを聴取可能な移動体通信システムに関する。
【背景技術】
【０００２】
相手先と通話して、その内容を記録して、後に、それを確認するシステムは、端末に磁気テープ等の通話記録手段を設け、端末操作者の特別の操作なしに、全部の通話内容を記録する方式と、端末操作者のキー操作により通話内容の記録が開始される方式とがある。
【０００３】
また、携帯用通信端末を用いて無線基地局と通信して相手先と通話する移動体通信方式においては、無線基地局が前記端末に発信する電波が十分に到達するエリアが限られていて、そのエリア内の端末の位置によっては、無線基地局と端末との距離的な相違、端末の電池消耗、もしくは電波障害の有無等によって端末の送受信状態が変化する。
しかしながら通話録音機能を備えた電子構内システムは、特許文献１により公知であるが、携帯用通信端末を用いて無線基地局に前記通話メモを記録させるメモリを設けるものはない。
【特許文献１】特開平６−３１８９８０号公報
【発明の開示】
【発明が解決しようとする課題】
【０００４】
しかしながら、相手先との通話内容を記録する前者の方式は、通話内容をすべて記録するために、記録手段が大容量となり、端末に内蔵するためには、一通話に配分する記憶容量を所定容量におさえる必要があり、その場合には十分な通話内容を記録できないという問題がある。
また、後者の方式は端末操作者の意志によりキー操作するために、必要とする通話だけ記録すればよいという点で、前者より容量のすくない記録手段を用いることができるが、それでも長時間の記録は無理である。
また、移動体通信用端末においては、特に、電波障害などにより難聴状態に陥ることがあり、その場合には相手先の通話を、あとで確認したいという要望がある。
【０００５】
上述の事情に鑑み、本発明は、十分な記録容量を通話メモとして記録できるメモリを備えた通話メモを聴取可能な移動体通信システムを提供することを目的としたものである。
【課題を解決するための手段】
【０００６】
そこで、本発明はかかる課題を解決するために、携帯用通信端末を用いて無線基地局と通信して相手先と通話する通話メモを記録して、通話終了後前記端末を用いて通話メモ若しくは電子メール（以下メッセージという）を聴取可能な通信システムであって、
前記無線基地局に前記通話メモを記録させるメモリを設けるとともに、該メモリに送信端末からのメッセージ及び該メッセージの発呼指定時刻を記憶し、該メモリに記憶したメッセージを前記指定時刻に相手先端末へ発呼するように構成した移動体通信システムを提案する。
【０００７】
また、前記メモリを電子メール用メモリと共用して構成すると好ましい。
また、前記通話メモを、いったん、すべての通話を記録し、端末からの保存信号により保存するように構成すると好ましい。
また、前記通話メモを、端末からの通話メモ記録要求信号により記録するように構成すると好ましい。
また、前記通話メモを、端末からの通話メモ消去要求信号により消去されるように構成すると好ましい。
【０００８】
本発明は、携帯用通信端末を用いて無線基地局と通信して相手先と通話が開始されると、無線基地局に設けられたメモリに通話内容が通話メモとして記録される。
この通話メモは無線基地局のメモリに記録されるので、端末に内蔵する場合と比べて大容量のメモリに通話メモを残すことができ、通話の全部を記録することができる。
また、前記メモリを電子メール用メモリと共用して構成した場合は、別途通話メモリ用としてメモリを設ける必要はなく、電子メール用と共用して効率的な使用が可能である。
また、前記通話メモを、いったん、すべての通話を記録し、端末からの保存信号により保存するように構成した場合は、通話毎に全部の通話が記録されるので、通話中に記録したい状態となった際にも、記録漏れがない。
また、前記通話メモを、端末からの通話メモ記録要求信号により記録するように構成した場合は、不用な通話メモを記録することがなく、大容量のメモリを用意する必要がない。
また、前記通話メモを、端末からの通話メモ消去要求信号により消去されるように構成した場合は、通話メモ再生後の通話メモをいつまでも記録状態で保存することがなく、メモリを有効に使用して大容量化を防ぐことができる。
【発明の効果】
【０００９】
本発明によれば、端末の操作により通話メモの再生ができる通話メモを、十分な記録容量を備えた無線基地局のメモリに記録しているので、該メモリに送信端末からのメッセージ及び該メッセージの発呼指定時刻を記憶し、該メモリに記憶したメッセージを前記指定時刻に相手先端末へ発呼するようにできるという利点がある。
【発明を実施するための最良の形態】
【００１０】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００１１】
図１は、本発明の実施例に用いられる移動体通信システムの概略構成図、図２は、本発明の実施例に用いられる通信用端末の外観構成を示す一実施例図、図３は、通信端末の回路ブロック構成図、図４は無線基地局の回路ブロック構成図、図５は、端末の出力レベル調整機能の動作手順説明図、図６は、ボイスメール機能の動作手順説明図、図７は、通話メモ機能の動作手順前半の説明図、図８は、通話メモ機能の動作手順後半の説明図である。
【００１２】
図１において、各電話端末と有線接続する通信事業者ネットワーク４１には、複数の無線基地局２０Ａ、２０Ｂ、２０Ｃが有線接続され、これらの無線基地局は、それぞれ複数の端末１Ａ′、１Ａ、１Ｂなどと無線により通信可能であるとともに、該基地局及び前記端末の各種データを記憶し管理するデータ管理センタ４０と前記ネットワーク４１を介して有線接続されている。
【００１３】
該基地局２０内部に後述するボイスメール（電子メール）用及び通話メモ用共用のメモリ３１Ａ（３１Ｂ）が設けられているとともに、お互いに前記基地局２０と距離の異なる端末１Ａ及び、端末１Ａ′の出力レベルを測定して所定レベルに調整する、図示しない機構が設けられている。
【００１４】
図２は、本発明の実施例に用いられる通信用端末の外観構成を示す一実施例図である。同図において、端末の本体１は、薄肉略長方形状をなし、上縁左隅部に伸縮自在なアンテナ２を立設させるとともに、左側面に閉成することにより自動的に端末の位置登録要求の電波を発信する電源スイッチ１０が設けられている。
【００１５】
端末１の前面には、上方にスピーカー部３、その近傍内部に呼出音を鳴動するスピーカ９が設けられ、その下に、テンキー操作により相手先の電話番号をはじめとして各種情報を視覚表示する表示部４が設けられ、更にその下方に発呼信号を送信する通話スイッチ５ａ、オンフックスイッチ５ｂ、内線における通話先を指定するスイッチ５ｃにより構成されるキー操作入力部５、その下にテンキー操作部６、さらにその下に、電話番号登録を要求する番号登録要求キー７ａ、外部端末／子機切替キー７ｂを始めとして、短縮、保留、その他の諸機能を実現するためのファンクションキー７等が配設され、その下方には、送話部８が組み込まれている。
【００１６】
図３は、通信端末の回路ブロックを示す構成図である。通信用端末１には、前記端末側の各種制御動作を制御するＣＰＵ（中央演算素子）１１が設けられ、該ＣＰＵ１１には、前記したアンテナ２、受話部としてのスピーカ３、送話部としてのマイク８を具えた無線通信回路１４が接続されており、ＣＰＵ１１との間でデータのやりとりを行いながら、所定の登録要求／発呼／着信／通話動作等を行う。
【００１７】
又、ＣＰＵ１１にはメモリ１２が付設され、このメモリ１２は通信回路１４を介して受信した、後述する無線基地局２０からの端末出力制御信号、出力レベル状態、通話メモの保存番号等を一時記憶する。
また、ＣＰＵ１１には、前記端末出力制御信号により端末の出力レベル調整回路１８が接続され、該回路１８は出力レベルを所定の範囲に調整する。
【００１８】
また、ＣＰＵ１１には前述のキー操作入力部５、その下にテンキー操作部６、ファンクションキー等で構成される入出力装置１７、この入出力装置１７のキー操作により入力情報、端末出力レベル警告などが表示される表示部４が接続されている。
ＣＰＵ１１に接続されているＲＯＭ１３には登録、送受信、その他の機能を所定の流れで処理するプログラムが記憶されている。
【００１９】
また、ＣＰＵ１１に接続されているＲＡＭ１５には製造時において、予め製造番号等が記憶されている。
呼出音発生回路１６は通信回路１４を介して受信して、呼出音を発生する回路であって、接続された発音部９を鳴動させるものである。
【００２０】
図４は、無線基地局の回路ブロック構成図である。無線基地局２０には、該基地局の各種制御動作を制御するＣＰＵ（中央演算処理装置）２１が設けられ、該ＣＰＵ２１には、アンテナ２２を具えた無線通信回路２４が接続され、ＣＰＵ２１との間でデータのやりとりを行いながら、前記端末１と無線連絡を行う。
また、ＣＰＵ２１には事業者ネットワーク４１（図１）と連結された電話回線インターフェース部２５が接続され、電話端末、その他データ管理センタ４０と連絡を行う。
【００２１】
また、ＣＰＵ２１には、電話回線インターフェース部２５から入来した種々のデータを情報データメモリ２８に記録するためのデータ送受信部２６が接続されている。
この情報データメモリ２８のデータは、通信部２４、データ送受信部２７、及び情報データ検索回路２７を介して、端末から検索して聴取可能に構成されている。
また、ＣＰＵ２１に接続されているＲＯＭ２３には送受信、その他の機能を所定の流れで処理するプログラムが記憶されている。
【００２２】
又、データ送受信部２７には、メモリ３１が接続され、このメモリ３１は無線通信回路２４を介して受信した通信端末１の電子メール用のメッセージ及び通話メモを記録するものである。
また、情報データメモリ２８とデータ送受信部２７とに接続された端末出力レベル演算回路３０は、データ送受信部２７から受信した位置登録情報の出力レベルを測定し、制御信号をデータ送受信部２７を介して端末に発信するとともに、情報データメモリ２８に、端末の出力レベル状態を記憶させるものである。
【００２３】
前記演算回路３０は、端末の出力レベルＬｔ、基準上限値Ｌｍｕ、基準下限値Ｌｍｌとすると、Ｌｍｕ≧Ｌｔ≧Ｌｍｌと端末出力レベルが両基準値間にあるように制御するものであり、端末出力レベルが基準下限値以下の場合は、出力アップ信号を送信し、端末出力レベルが基準上限値を越える場合は、出力ダウン信号を送信して調整し、端末出力レベルが基準下限値を越えない場合は、調整不能信号もしくは出力レベル低下信号を発信するように構成されている。
【００２４】
次に、本実施例に用いられる端末の出力レベル調整手順の概略を図５を用いて説明する。
通信用端末Ａの電源スイッチ１０（図１）を閉成すると位置登録要求が発信され（５０）、基地局２０においては、その位置登録要求信号が受信（５１）される。
基地局２０の端末出力レベル演算回路３０により、端末出力レベルが測定されて、出力レベルが所定範囲にないときは制御信号が発信（５２）される。
【００２５】
該制御信号を受信した端末は、出力レベル調整回路１８において、出力レベル調整（５３）がされ、位置登録要求信号が発信される。
所定時間内の、前記制御信号及び位置登録要求信号のやりとりの後に、まだ基準値内までに端末の出力レベルが上昇しないときは、基地局の端末出力レベル演算回路３０が調整不能と判断し、端末出力調整不能通知を発信（５４）する。
該不能通知を受信した端末は表示部に電池の形をしたマークを表示するとともに、該マークを点滅フラッシングする（５５）。
【００２６】
端末から発呼信号が発信（５６）され、基地局２０が端末の発呼信号を受信すると（５７）、位置登録要求信号により、端末出力レベルが調整不能である場合は端末出力レベル調整不能通知を発信して発呼応答（５８）する。
端末では、該端末出力レベル調整不能信号を受信して、音声で出力レベル調整不能警告とともに、表示部４に電池マークを表示して、該マークをフラッシングする（５９）。
【００２７】
この警告を無視して、端末が相手先の電話番号を発信（６０）すると、基地局２０は該電話番号を受信して（６１）、相手先端末へ発呼信号を発信（６２）する。
この発呼信号を受信した（６３）端末Ｂは、端末所有者が近くにいない場合は呼び鈴を鳴動するが、話し中の場合はビジー信号を発信（６４）する。
【００２８】
図６は、ボイスメール（電子メール）機能の動作手順の説明図である。同図において、端末Ｂからのビジー信号が１５回発信すると（６５）、それを基地局が確認（６６）し、端末Ａへボイスメール受付を通知する（６７）。このとき、端末Ａの出力レベル調整不能であれば、その警告を音声及び表示部のフラッシングで行う。例えば、音声では「あなたの端末の出力は低下して調整不能ですが、先方がでませんのでボイスメールを受付ます」と伝える。
【００２９】
端末からボイスメール用のメッセージ及び発呼時刻を指定をする（６９）。例えば、端末１のファンクションキー７ｄを押し、メッセージを伝えた後に、＃キーを用いて、１４日、午後１時の意味として、（＃１４１３＃）をキー入力操作する。
基地局２０は、このメッセージ内容及び発呼時刻を受け取ると、メモリ３１に記憶保存し（７０）、指定日及び指定時刻に端末Ｂへ発呼する（７１）。
【００３０】
この発呼信号を受信した（７２）端末Ｂは、オフフック信号を発信（７３）し基地局２０が該信号を受信（７４）すると、メッセージを発信し（７５）、端末Ｂがメッセージを受信して（７６）、オンフック信号を発信（７７）し、基地局２０がオンフック信号を受信（７８）すると、基地局２０はメッセージ内容を消去（７９）して、終了（８０）する。
【００３１】
図７は、通話メモ機能の動作を説明する前半の動作手順説明図である。同図において、端末Ａが相手先電話番号を発信（６０）し、端末Ｂがオフフック信号を発信（８１）し、通話が開始（８４）されると、基地局２０のメモリ３１に通話メモの記録が始まる（８５）。
通話が終了して（８６）、端末１の通話メモキー７ｃをおすと通話メモとして保存を要求する保存信号が発信される（８７）。
基地局２０は、この保存信号を受信すると通話メモに保存番号を付与して、該保存番号を端末に知らせるとともに、通話メモを保存する（８９）。
端末は保存番号を受信すると、メモリ１２に記憶（９０）する。
尚、端末ＡもしくはＢから保存要求がない場合は、適宜消去される。
【００３２】
図８は、通話メモ機能の後半の動作手順である通話メモ再生手順を示す。同図において、端末１の表示部４に通話メモ保存番号を表示した状態で、再生キー７ｅ、及び通話キー５ａを押すと、発呼とともに再生、及び保存番号が発信されて（９４）、通話メモ再生要求がなされる。
この再生要求を受信した（９５）基地局２０は、情報データ検索回路２９から保存番号によりメモリ３１を検索して、通話メモを端末に発信（９６）する。
【００３３】
通話メモの再生聴取が終了すると（９８）、端末は通話メモ消去信号を、例えば、＃０００＃と通話メモキー７ｃを押す、この通話メモ消去信号を受信すると（１００）、端末Ａ及びＢともに通話メモを必要としない状態をチェックすると（１０１）、通話メモの内容を消去して、終了する（１０３）。
尚、端末から通話メモ消去信号が受信されない場合であっても、前述の保存番号要求が内場合と同様に、適宜、メモリ３１の記憶容量を勘案して消去される。
【００３４】
次に、基地局２０における本実施例の流れを、図９〜図１２を用いて詳細に説明する。
図９において、端末１の電源スイッチ１０（図２）を押すと、端末位置登録要求信号が発信され、基地局２０が位置登録要求信号を受信すると（１５１）、発呼信号の有無が判断され（１０２）、発呼信号が受信されていて、さらに再生キー、通話メモの保存番号が受信されていると（１５３）、通話メモ再生要求がされているとしてステップＣに進むが、該再生要求がされていないときは、端末出力レベル測定が完了しているかどうかが判断され（１５４）、それが完了していればステップＢに進む。
【００３５】
端末の発呼信号が受信されておらずに（１５２）、また、端末出力レベル測定が完了していないとき（１５４）は、端末の出力レベル測定（１５５）を行う。
端末出力レベルが正規の範囲内にある場合は、待ち受け状態に戻る（１５０）が、正規のレベル内にないときは、出力レベル調整指令（１５７）をだし、入来する端末の位置登録要求信号の出力レベルを測定（１５８）し、端末出力レベルが正規の範囲内にない場合は、出力レベル調整完了かどうかを、例えば、所定時間経過下かどうかで判断し（１６０）、調整完了前であれば、さらにステップ１５７、１５８、１５９、１６０のループをたどり、出力レベル調整が完了し、出力レベル調整が不能（１６１）であれば、端末へ出力調整不能通知を発信（１６２）して待ち受け状態に戻る（１５０）。
【００３６】
次に、端末発呼時の基地局の流れを説明する。図９において、端末出力レベル測定が完了（１５４）しているときは、図１０のステップＢに進む。
図１０において、端末出力レベルが調整不能であるときは、端末に上述した警告を送り（１６４）、音声及び表示部に警告指示がなされる。
端末から発呼があり、相手先電話番号を受信（１６６）すると、基地局２０は相手端末へ発呼（１６７）し、オフフック信号を受信すると（１６８）、通話内容が記録される（１６９）。
通話が終わり、端末から保存信号を受信すると、保存番号を発信し待ち受け状態（１５０）に戻る。
また、端末Ａからも、Ｂからも保存信号が受信されないときは、後述する図１２のステップＥに進み、メモ内容は消去される。
【００３７】
さて、図１０において、基地局２０が相手先へ発呼（１６７）して、相手先端末のオフフック信号の受信がないときは（１６８）、ステップＤに進むことになる（１０５）。
図１１において、ビジー信号を１５回受信すると（１７２）、端末Ａの出力レベルが調整不能の場合は（１７３）、端末Ａへ警告し（１７４）、メッセージ受付信号を発信（１０６）する。
メッセージの受付を開始（１７６）し、端末からのメッセージを受信し、メッセージ記録が完了する（１７７）。
端末の指定時刻に相手先端末にメッセージを発信（１７８）し、メッセージ通信が完了すると（１７９）、メッセージ内容を消去（１８０）して、終了（１８１）する。
【００３８】
次に、図１２の流れ図を用いて、通話メモ送信時の基地局における動作を説明する。
図９において、端末の発呼信号とともに、通話メモ再生要求と保存番号を受信すると（１５３）、図１２のステップＣに進む。
メモ内容を送信し（１８２）、メモ送信が終了すると（１８３）、端末Ａからメモ消去信号を受信したかどうかを判断し（１８４）、該消去信号を受信していれば、相手先である端末Ｂが通話メモの保存を要求していたかどうかを判断（１８５）し、保存要求がされていた場合は、端末Ｂからメモ消去信号を受信したかどうかを判断（１８６）し、メモ消去信号を受信していたときは、メモ内容を消去（１８９）して、終了（１９０）する。
【００３９】
一方、端末Ａも、また、端末Ｂも、消去信号の発信を失念したり、後刻再度再生するつもりで、そのまま放置する場合が考えられる。
したがって、そのようなときは、所定時間、例えば、２４時間経過した場合は自動的に通話メモ内容を消去するように構成されている。
すなわち、図１２に示すように、端末Ａからメモ消去信号を受信しないときは（１８４）、所定時間経過の後に（１８７）、また、端末Ｂからメモ消去信号を受信しないときは（１８８）、メモ内容が消去（１８９）される。
【００４０】
尚、上記実施例は、相手先のビジー信号を検知して、端末にボイスメール受付を行っているが、必ずしもこれに限定されるものではなく、端末のボイスメッセージキー７ｄを操作して、端末の要求により受付をしてもよい。
また、通話メモの記録を、全通話行い、保存要求のあったものを保存し、要求のないものは消去するように説明しているが、端末の発呼信号時、もしくは受信通話開始時に、通話メモ要求信号を送って記録動作させてもよい。
【００４１】
また、本実施例では、無線基地局のメモリとして、無線基地局内にあるメモリ３１を開示しているが、必ずしもこれに限定されず、無線基地局と有線接続される外部のメモリであってもよく、さらに、電波障害が発生しない保証のある、無線接続されたメモリであってもよいことは勿論のことである。
【００４２】
上述したように、かかる実施例によれば、通話メモは無線基地局のメモリに記録されるので、端末に内蔵する場合と比べて大容量のメモリに通話メモを残すことができ、通話の全部を記録することができる。
また、前記メモリを電子メール用メモリと共用して構成することができ、別途通話メモリ用としてメモリを設ける必要がないため、電子メール用と共用して効率的な使用が可能である。
【００４３】
また、前記通話メモを、いったん、すべての通話を記録し、端末からの保存信号により保存するように構成した場合は、通話毎にに全部の通話が記録されるので、通話中に記録したい状態となった際にも、記録漏れがない。
また、前記通話メモを、端末からの通話メモ記録要求信号により記録するように構成した場合は、不用な通話メモを記録することがなく、大容量のメモリを用意する必要がない。
また、前記通話メモを、端末からの通話メモ消去要求信号、もしくは所定時間後に、消去されるように構成されているので、通話メモ再生後の通話メモをいつまでも記録状態で保存することがなく、メモリを有効に使用して大容量化を防ぐことができる。
【産業上の利用可能性】
【００４４】
本発明によれば、無線基地局が前記端末に発信する電波が十分に到達するエリアが限られていて電波障害の有無等によって端末の送受信状態が変化する移動体通信方式においても有効に対応できる。
【図面の簡単な説明】
【００４５】
【図１】本発明の実施例に用いられる移動体通信システムの概略構成図である。
【図２】本発明の実施例に用いられる通信用端末の外観構成を示す一実施例図である。
【図３】通信端末の回路ブロック構成図である。
【図４】無線基地局の回路ブロック構成図である。
【図５】端末の出力レベル調整機能の動作手順説明図である。
【図６】ボイスメール機能の動作手順説明図である。
【図７】通話メモ機能の動作手順前半の説明図である。
【図８】通話メモ機能の動作手順後半の説明図である。
【図９】基地局における端末出力レベル調整時の流れ図である。
【図１０】基地局における端末発呼時の流れ図である。
【図１１】基地局におけるボイスメール時の流れ図である。
【図１２】基地局における通話メモ送信時の流れ図である。
【符号の説明】
【００４６】
１                    通信用端末
３                    受話口
４                    表示部
８                    送話部
１０                  電源スイッチ
１１、２１            ＣＰＵ
１２、３１            メモリ
１３、２３            ＲＯＭ
１４、２４            無線通信回路
１７                  入出力装置
１８                  出力レベル調整回路
２０                  無線基地局
２５                  電話回線インターフェース部
２６、２７            データ送受信部
２８                  情報データメモリ
２９                  情報データ検索回路
３０                  端末出力レベル演算回路
４０                  データ管理センタ
【図１】
2006135925.tif 000003
【図２】
2006135925.tif 000004
【図３】
2006135925.tif 000005
【図４】
2006135925.tif 000006
【図５】
2006135925.tif 000007
【図６】
2006135925.tif 000008
【図７】
2006135925.tif 000009
【図８】
2006135925.tif 000010
【図９】
2006135925.tif 000011
【図１０】
2006135925.tif 000012
【図１１】
2006135925.tif 000013
【図１２】
2006135925.tif 000014